(57)【要約】【課題】医療用薬液を別々の開口部から注入と吸引することができ、それによってチューブ、注射器、その他の部品をバイアルに容易に取り付けることができる、放射薬剤分注及び注入装置を提供する。【解決手段】胴部（１）、胴部（１）の頂部開口部（１１）を封印する頂部の栓（２）、胴部（１）の底部開口部（１２）を封印する底部の栓（３）、放射薬剤（４）を吸引する放射薬剤吸引部（７）、一端に頂部の栓（２）に刺す針（５２）を有し他端が放射薬剤溜まり（５３）に接続されている注入チューブ（５１）等から構成する。【選択図】  図４
2006212267.tif 000002
【特許請求の範囲】
【請求項１】
両端開口バイアル及び両端開口バイアルを組み込んだ放射薬剤の分注及び注入システムで以下のものから成るもの；
空洞であって頂部開口部（１１）と底部開口部（１２）によって形成された胴部（１）；胴部（１）の頂部開口部（１１）にはまり頂部開口部（１１）を封印する頂部の栓（２）；胴部（１）の底部開口部（１２）にはまり底部開口部（１２）を封印し、胴部（１）を頂部の栓（２）と底部の栓（３）で閉鎖空間を形成し放射薬剤（４）を貯留する底部の栓（３）；底部の栓（３）に接続し胴部（１）から放射薬剤（４）を吸引する放射薬剤吸引部（７）。
【請求項２】
請求項１に記載の両端開口バイアルを組み込んだ両端開口バイアルが放射薬剤（４）を頂部の栓（２）経由で胴部（１）に供給する放射薬剤供給部（５）に接続している両端開口バイアル及び放射薬剤の分注及び注入システム。
【請求項３】
請求項２に記載の両端開口バイアルを組み込んだ両端開口バイアル及び放射薬剤の分注及び注入システムにおいて、放射薬剤供給部（５）が一端に頂部の栓（２）に刺す針（５２）を有し、他端が放射薬剤溜まり（５３）に接続されている注入チューブ（５１）から成るもの。
【請求項４】
請求項１に記載の両端開口バイアルを組み込んだ両端開口バイアル及び放射薬剤の分注及び注入システムで放射薬剤吸引部（７）が一端に底部の栓（３）に刺す針（７４）を有し、放射薬剤（４）が他端に送られる吐出チューブ（７３）から成るもの。
【請求項５】
請求項１に記載の両端開口バイアルを組み込んだ両端開口バイアル及び放射薬剤の分注及び注入システムで放射薬剤吸引部（７）が底部の栓（３）に刺す針（７２）を先端部に有する注射器（７１）から成るもの。
【請求項６】
請求項１に記載の両端開口バイアルを組み込んだ両端開口バイアル及び放射薬剤の分注及び注入システムで頂部の栓（２）に空気フィルター（６）があり、その針が頂部の栓（２）に刺さっているもの。
【請求項７】
両端開口バイアルで以下のものから成るもの；
空洞であって頂部開口部（１１）と底部開口部（１２）によって形成された胴部（１）；
胴部（１）の頂部開口部（１１）にはまり頂部開口部（１１）を封印する頂部の栓（２）；
胴部（１）の底部開口部（１２）にはまり底部開口部（１２）を封印し、胴部（１）を頂部の栓（２）と底部の栓（３）で閉鎖空間を形成し放射薬剤（４）を貯留する底部の栓（３）。
【請求項８】
請求項７に記載の両端開口バイアルであって、胴部（１）が環状体をなし頂部開口部（１１）や底部開口部（１２）より大きい直径を持つもの。
【請求項９】
請求項７に記載の両端開口バイアルであって胴部（１）が透明な材質でできているもの。
【請求項１０】
請求項７に記載の両端開口バイアルであって胴部（１）の外壁に体積を表示する目盛を有するもの。
【請求項１１】
請求項７に記載の両端開口バイアルであって頂部開口部（１１）に環状フランジ（１４）があるもの。
【請求項１２】
請求項に記載の両端開口バイアルであって底部開口部（１２）に環状フランジ（１５）があるもの。
【請求項１３】
請求項７に記載の両端開口バイアルであって少なくとも一個の開口部が円形平底構造（１３）であるもの。
【発明の詳細な説明】
【技術分野】
【０００１】
本発明は一般的にはバイアルの改良、特に両端開口バイアルと両端開口バイアルを組み込んだ放射薬剤分注及び注入装置に関するものである。
【背景技術】
【０００２】
伝統的に医療用薬液はバイアルに貯留する。バイアルは密閉容器で一般的にはガラス又は高分子化合物でできており一箇所の口から医療用薬液を充填したり吸引したりする。 開口部は良好な封引力を有するゴムで栓をする。ゴム栓は針、例えば注射器によって貫通できるが針が貫通しても良好な不意引力を維持する。注射針を栓に刺しこみバイアルから医療用薬液を吸引する。
【発明の開示】
【発明が解決しようとする課題】
【０００３】
従来のバイアルの場合栓を針が貫いてからバイアルをさかさまににし医療用薬液が針に入るようにしなければならない。バイアルが空になったら元に戻す。実際、このタイプのバイアルは使いにくい。また、従来のバイアルを核医学で用いる場合放射薬剤中の放射性成分が強い放射線を放射するので適切に遮へいを施さないと技師や看護師といった取り扱い、分注、運搬、医療処置のための注射を担当する医療従事者には深刻な障害を与えるかもしれない。例えば、医療従事者は開口部から放射薬剤を注入するためには適切な場所に置かなければならない。よって医療従事者には放射線汚染の危険がある。
【０００４】
放射線汚染から医療従事者を護るために一般的処置として遮へいを施す。従来の放射線遮へいでは受け取ったまたは収納した放射薬剤の放射線漏洩を防ぐために箱や容器を用意する。しかし、放射線遮へい体の内側で放射薬剤の回収、移動、分注、注入を１個の開口部を持つ従来のバイアルを用いて行う場合バイアルを転倒させてから又元に戻す操作手順に従った駆動機構を設計し製作しなければならない。そういった駆動機構が自動化するのは難しい。従ってバイアルを手動で正しく扱うことが不可欠である。明らかに医療従事者の放射線汚染の危険度が増す。
【０００５】
現在は医療用具や付属品の改良では運搬システム、放射線遮へい又は運転機構に焦点を当てている。実際問題として、医療用具や付属品が機能的及び構造的に優れていてもこれらの医療用具や付属品の運転効率や安全は開口部が一個しかない従来のバイアルのために限界がある。
【０００６】
従って、本発明の主眼は一個だけの開口部を持つ従来のバイアルによる限界を取り除く両端開口バイアルを提供することである。本発明のもう一つの主眼は一つは頂部に、もう一つは底部にある両端開口バイアルを提供することである。これによってバイアルを広範にかつ柔軟に運用することができる。医療用薬液を別々の開口部から注入と吸引することができる。従ってチューブ、注射器、その他の部品をバイアルに取り付けることが容易になる。本発明の更なる主眼は使いやすいバイアルの構造を提供することである。バイアルを転倒させたり戻したりすることは不要である。本発明の更なる主眼は医療用薬液の自動的分注及び注入が可能なバイアルの構造を提供することである。バイアルは自動運転に用いることができバイアルを簡単な構造の駆動機構が適用できる。本発明の更なる主眼は両端開口バイアルを用いた医療用薬液の分注及び注入システムを提供することである。両端開口バイアルは一体化した放射薬剤の分注及び注入システムを形成するために放射薬剤供給部用と放射薬剤吸引部用に対応する。
【課題を解決するための手段】
【０００７】
本発明に基づいて以上の課題を達成するために、両端開口バイアルと放射薬剤の分注及び注入システムで対応する。両端開口バイアルは頂部開口と底部開口のものを含む。頂部開口部は頂部栓で底部開口は底部栓で封印し液状放射薬剤を収納する閉鎖空間を形成する。空気フィルターは頂部の栓に刺す。さらに、放射薬剤を収納部に供給するための放射薬剤供給部は頂部の栓に接続する。放射薬剤供給部には注入用チューブ又は注射器を含む。放射薬剤吸引部は底部の栓から収納部の放射薬剤を吸引する。放射薬剤吸引部には吐出用チューブ又は放射薬剤吸引用注注射器を含む。
【０００８】
両端開口バイアルであって頂部に頂部開口部及び底部に底部開口部を持つ胴部がある。頂部開口部は頂部の栓で封印され底部開口部は底部の栓で封印されており放射薬剤を貯留する閉鎖空間を形成している。空気フィルターが頂部の栓に刺さっている。放射薬剤供給部が頂部の栓に接続され胴部に放射薬剤を供給する。放射薬剤供給部は注入チューブ又は注射器を有する。放射薬剤吸引部は胴部より底部の栓を経由して放射薬剤を吸引する。放射薬剤吸引部は報者薬剤を吸引する吐出チューブ又は注射器を有する。
【０００９】
かくして、請求項１に記載の発明は、前記目的を達成するために、両端開口バイアル及び両端開口バイアルを組み込んだ放射薬剤の分注及び注入システムで以下のものから成るように構成される；空洞であって頂部開口部と底部開口部によって形成された胴部；胴部の頂部開口部にはまり頂部開口部を封印する頂部の栓；胴部の底部開口部にはまり底部開口部を封印し、胴部を頂部の栓と底部の栓で閉鎖空間を形成し放射薬剤を貯留する底部の栓；底部の栓に接続し胴部から放射薬剤を吸引する放射薬剤吸引部。
請求項２に記載の発明は、請求項１に記載の両端開口バイアルを組み込んだ両端開口バイアルが放射薬剤を頂部の栓経由で胴部に供給する放射薬剤供給部に接続している両端開口バイアル及び放射薬剤の分注及び注入システムのように構成される。請求項３に記載の発明は、請求項２に記載の両端開口バイアルを組み込んだ両端開口バイアル及び放射薬剤の分注及び注入システムにおいて、放射薬剤供給部が一端に頂部の栓に刺すを有し、他端が放射薬剤溜まりに接続されている注入チューブから成るように、請求項４に記載の発明は、請求項１に記載の両端開口バイアルを組み込んだ両端開口バイアル及び放射薬剤の分注及び注入システムで放射薬剤吸引部が一端に底部の栓に刺す針を有し、放射薬剤が他端に送られる吐出チューブから成るように、請求項５に記載の発明は、請求項１に記載の両端開口バイアルを組み込んだ両端開口バイアル及び放射薬剤の分注及び注入システムで放射薬剤吸引部が底部の栓に刺す針を先端部に有する注射器から成るように、請求項６に記載の発明は、請求項１に記載の両端開口バイアルを組み込んだ両端開口バイアル及び放射薬剤の分注及び注入システムで頂部の栓（２）に空気フィルター（６）があり、その針が頂部の栓（２）に刺さっているように構成される。
請求項７に記載の発明は、両端開口バイアルで以下のものから成るように構成される；空洞であって頂部開口部と底部開口部によって形成された胴部；胴部の頂部開口部にはまり頂部開口部を封印する頂部の栓；胴部の底部開口部にはまり底部開口部を封印し、胴部を頂部の栓と底部の栓で閉鎖空間を形成し放射薬剤を貯留する底部の栓。
請求項８に記載の発明は、請求項７に記載の両端開口バイアルであって、胴部（１）が環状体をなし頂部開口部や底部開口部より大きい直径を持つように、請求項９に記載の発明は、請求項７に記載の両端開口バイアルであって胴部が透明な材質でできているように、請求項１０に記載の発明は、請求項７に記載の両端開口バイアルであって胴部の外壁に体積を表示する目盛を有するように、請求項１１に記載の発明は、請求項７に記載の両端開口バイアルであって頂部開口部に環状フランジがあるように、請求項１２に記載の発明は、請求項に記載の両端開口バイアルであって底部開口部に環状フランジがあるように、そして請求項１３に記載の発明は、請求項７に記載の両端開口バイアルであって少なくとも一個の開口部が円形平底構造であるように構成される。
【発明の効果】
【００１０】
本発明は、上記のように構成されているので、次のような本発明に特有の効果が得られる。バイアルを広範にかつ柔軟に運用することができる。医療用薬液を別々の開口部から注入と吸引することができ、従ってチューブ、注射器、その他の部品をバイアルに取り付けることが容易になる。医療用薬液の自動的分注及び注入が可能である。バイアルは自動運転に用いることができ。
【発明を実施するための最良の形態】
【００１１】
図面を参照するに際して特に図１から３を参照する。図１は本発明に基づいて製作された両端開口バイアルの分解図である。図２は両端開口バイアルの透視図であり図３は図２の３−３視断面図である。
【００１２】
胴部１は両端開口バイアルは頂部開口部１１と底部開口部１２で形成された空洞である。胴部１は頂部開口部１１や底部開口部１２よりも断面の直径が大きい環状体である。言い換えるならば頂部開口部１１や底部開口部１２は胴部１よりも寸法的に小さい。
【００１３】
胴部１の外壁には体積を表示するための目盛１０がある。それにより使用者は医療用薬液の量の目視や制御を目盛によって行うことができる。
【００１４】
胴部１の頂部開口部１１には栓２がはまり頂部開口部１１を封印する。同様に底部開口部１２には栓３がはまり底部開口部１２を封印する。栓２，３は良好な封印能力のある材料製で針で貫通されても栓２，３は胴部１を良好に封印する。用途によっては栓２及び３は選択的に別の材料で作っても良い。バイアルを商業的に扱う場合栓２はゴム製又は類似材料製である。
【００１５】
図４は本発明の最初の実施例であるが両端開口バイアルは放射薬剤の分注及び注入システムに用いられている。図の如く栓２、３が封印すると胴部１は医療用薬液を収納する閉鎖空間を形成している。当該医療用薬液は液状放射薬剤４である。
【００１６】
放射薬剤４を胴部１に供給する放射薬剤供給部５がある。この実施例では放射薬剤供給部５は栓２に差し込む針５２を持つ注入チューブ５１を含む。注入チューブ５１や針５２を経由して放射薬剤が放射薬剤溜まり５３から胴部１に供給される。
【００１７】
空気フィルター６も胴部１の空気圧を維持するために栓２に刺される。放射薬剤４が胴部１から吸引される場合周りの空気が空気フィルター６でろ過されて胴部１に流れ込む。こうして胴部１の空気圧は維持される。
【００１８】
放射薬剤吸引部７が胴部１の底部開口部１２の栓３に接続される。この実施例では放射薬剤吸引部７は先端部に針７２を持つ注射器７１を有する。針７２は胴部１の栓３を貫通し内部の放射薬剤４を吸引する。
【００１９】
図５は本発明の第二番目の実施例である。この実施例では両端開口バイアルを包含する放射薬剤の分注及び注入システムは図４で論じた放射薬剤の分注及び注入システムと実質上同じであるので二つの実施例の要素を示す参照番号は類似又は同じである。 両端開口バイアルは胴部１、胴部１の頂部の栓２及び底部の栓３を含む。 胴部１は放射薬剤供給部５接続している。しかし、二番目の実施例の最初の実施例と異なる点は放射薬剤吸引部７が吐出チューブ７３と針７４から成ることである。針７４は吐出チューブ７３の先端にあり胴部１から放射薬剤４を吸引するために底部の栓３に刺さっている。
【００２０】
図６は本発明の三番目の実施例の概念図を示す。三番目の実施例は実質的に最初の実施例と類似しており 二つの実施例で用いている要素を示す参照番号は類似又は同一である。三番目の実施例と最初の実施例の異なる点は頂部の栓２がいかなる放射薬剤供給部とも接続していないことである。その代わり放射薬剤４は胴部１の頂部の栓２をはめる前に胴部１に充填されている。頂部の栓２には空気フィルター６だけが刺さっている。底部の栓３には放射薬剤４を吸引する注射器７１が刺さっている。空気フィルター６によって胴部１の空気圧が維持されている。
【００２１】
図７は本発明に夜四番目の実施例を示す。四番目の実施例は実質的に図５に示す二番目の実施例と類似しており 二つの実施例で用いている要素を示す参照番号は類似又は同一である。四番目の実施例と二番目の実施例の異なる点は頂部の栓２がいかなる放射薬剤供給部とも接続していないことである。その代わり放射薬剤４は胴部１の頂部の栓２をはめる前に胴部１に充填されている。頂部の栓２には空気フィルター６だけが刺さっている。針７４は吐出チューブ７３に接続され胴部１から放射薬剤４を吸引するために底部の栓３に刺さっている。
【００２２】
空気フィルター６によって胴部１の空気圧が維持されている。
【００２３】
図８は本発明の五番目の実施例の概念図を示す。五番目の実施例は実質的に図４に示す二番目の実施例と類似しており 二つの実施例で用いている要素を示す参照番号は類似又は同一である。五番目の実施例と二番目の実施例の異なる点は図８の胴部１が円形平底構造１３で筒状の標準的形状の開口部１２を有することである。従って胴部１は円形平底を持ち液体の体積測定に有利である。使用者は胴部１の目盛から放射薬剤４の量を直読することができる。
【００２４】
図９は本発明の六番目の実施例の概念図を示す。両端開口バイアルの実施例は実質的に図１に示す実施例と類似しており 二つの実施例で用いている要素を示す参照番号は類似又は同一である。図１０は図９の１０−１０視 の断面図である。六番目の実施例の異なる点は頂部開口部１１が環状フランジ１４を底部開口部１２が環状フランジ１５を有すことである。 環状フランジ１４，１５の有利な点は固定を確実にすること又は胴部１を保持するのに用いることである。
【００２５】
以上、本発明について実施の形態を説明したが、請求範囲に示す本発明の範囲を逸脱しない色々な改造や変更が可能であることは明白である。
【図面の簡単な説明】
【００２６】
【図１】本発明に基づいて製作された両端開口バイアルの分解図である。
【図２】]両端開口バイアルの透視図である。
【図３】図２において矢視３−３で見た断面図である。
【図４】本発明の最初の実施の形態の概念図である。
【図５】本発明の第２の実施形態の概念図である。
【図６】本発明の第３の実施形態の概念図である。
【図７】本発明の第４の実施形態の概念図である。
【図８】本発明の第５の実施形態の概念図である。
【図９】本発明の第６の実施形態の概念図である。
【図１０】図９において１０−１０で見た断面図である。
【符号の説明】
【００２７】
１        胴部                  １０        目盛
１１        頂部開口部            １２        底部開口部
１３        円形平底構造          １４        環状フランジ
１５        環状フランジ            ２        栓
３        栓                      ４        放射薬剤
５        薬剤供給部            ５１        注入チューブ
５２        針                    ５３        放射薬剤溜まり
６        空気フィルター          ７        薬剤吸引部
７１        注射器                ７２        針
７３        吐出チューブ          ７４        針
【図１】
2006212267.tif 000003
【図２】
2006212267.tif 000004
【図３】
2006212267.tif 000005
【図４】
2006212267.tif 000006
【図５】
2006212267.tif 000007
【図６】
2006212267.tif 000008
【図７】
2006212267.tif 000009
【図８】
2006212267.tif 000010
【図９】
2006212267.tif 000011
【図１０】
2006212267.tif 000012
【外国語明細書】
TWO-END VIAL AND RADIOPHARMACEUTICALS DISPENSING AND INJECTION SYSTEM INCORPORATING THE TWO-END VIAL
FIELD OF THE INVENTION
1 The present invention relates generally to an improved vial, and in particular to a two-end vial and a radiopharmacuticals dispensing and injection system incorporating the two-end vial.
BACKGROUND OF THE INVENTION
2 Traditionally, a medical fluid used for medical treatment is stored in a vial.  Vial is a closed container generally made of glass or polymeric materials, and provided with an opening at one end for supply and withdrawal of medical fluid.  The opening is closed by a stopper made of rubber which provides good sealing.  The rubber stopper can be pierced by a needle of, e.g. a syringe, which can keep good sealing even when pierced by the needle.  By inserting a syringe to the stopper, the medical fluid is withdrawn from the vial.
3 When applying the conventional vial, after inserting the needle through the stopper, it is required to place the vial upside-down, so that the medical fluid flows through the needle.  After the vial is emptied, it is reversed for replacement.  Practically, it is rather inconvenient to use this type of vial.
4 When using the conventional vials in nuclear medicine, the radioactive compounds in radiopharmaceuticals give off strong radiation, which, if not properly shielded, may cause serious damage to the medical employees, such as technicians and nurses, who are in charge of handling, dispensing, transportation, and injection of radiopharmaceuticals for medical treatment.  For example, the medical employee has to place the vial in proper position in order to fill the radiopharmaceuticals through the opening.  Accordingly, the medical employees are susceptible to radiation pollution.
5 To protect the medical employees from radiation pollution, radiation shielding is commonly provided at operation.  Conventional arrangement for radiation shielding involves a casing or container to prevent leakage of radiation of the radiopharmaceuticals received or accommodated therein.  However, in retrieval, disposition, dispensing, and injection of the radiopharmaceuticals to the conventional vials with one opening in the radiation shielding, it is needed to design and incorporate a driving mechanism which is capable to turn the vials upside-down and to reverse the vials according to operating procedures.  Such a driving mechanism is critical to fulfill automated operation.  Otherwise, it is inevitable to use manual operation to place the vials in correct positions.  Obviously, it enhances the risk of radiation pollution to the medical employees.  
6 Currently, the improvements to medical equipment and accessories mainly focus on delivery systems, radiation shields or operation mechanisms.  Surprisingly, no one intends to improve the vial.  In fact, despite the medical equipment and accessories are functionally and structurally advanced, the operation efficiency and safety of these medical equipment and accessories are limited by the conventional vial which possesses a single opening.
7 Thus, it is desired to have a vial with improved structure to solve the aforesaid problems.
SUMMARY OF THE INVENTION
8 A primary objective of the present invention is to provide a two-end vial which removes the limitation of conventional vial with a single opening.
9 Another objective of the present invention is to provide a vial with two openings, one at the top and one at the bottom of the vial.  Hence, the vial can be used widely and flexibly.  Medical fluid can be filled to and withdrawn from the vial through either opening.  It would be easy for arrangement of tubes, syringes and other accessories to the vial.
10 A further objective of the present invention is to provide a vial structure that is easy for operation.  It is not necessary to turn and reverse the vial.
11 Yet a further objective of the present invention is to provide a vial structure that allows the automatic dispensing and injection of medical fluid.  The vial can be used in automated operation, such that simple driving mechanism can be used to control the vial.
12 A further objective of the present invention is to provide a medical fluid dispensing and injection system incorporating the two-end vial.  The two-end vial is arranged with a radiopharmaceuticals supply unit and a radiopharmaceuticals withdrawal unit to form a complete radiopharmaceuticals dispensing and injection system. 
13 To achieve the above objects, in accordance with the present invention, there is provided a two-end vial and a radiopharmaceuticals dispensing and injection system.  The two-end vial includes a body with an upper opening at the top and a lower opening at the bottom.  The upper opening is sealed with an upper stopper and the lower opening is sealed with a lower stopper, forming a closed chamber for containing a liquid radiopharmaceuticals therein.  An air filter means is mounted to the upper stopper.  Also, a radiopharmaceuticals supply unit is connected to the upper stopper for supplying the radiopharmaceuticals to the body.  The radiopharmaceuticals supply unit may include an inlet tube or a syringe.  A radiopharmaceuticals withdrawal unit withdraws the radiopharmaceuticals from the body via the lower stopper.  The radiopharmaceuticals withdrawal unit may include an outlet tube or a syringe for drawing the radiopharmaceuticals.
BRIEF DESCRIPTION OF THE DRAWINGS
14 The present invention will be apparent to those skilled in the art by reading the following description of a preferred embodiment thereof, with reference to the attached drawings, in which:
15 Figure 1 is an exploded view of a two-end vial constructed in accordance with the present invention;
16 Figure 2 is a perspective view of the two-end vial;
17 Figure 3 is a sectional view taken along line 3-3 of Figure 2;
18 Figure 4 is a schematic view showing a first embodiment of the present invention;
19 Figure 5 is a schematic view showing a second embodiment of the present invention; 
20 Figure 6 is a schematic view showing a third embodiment of the present invention;
21 Figure 7 is a schematic view showing a fourth embodiment of the present invention;
22 Figure 8 is a schematic view showing a fifth embodiment of the present invention; 
23 Figure 9 is a schematic view showing a sixth embodiment of the present invention; and
24 Figure 10 is a sectional view taken along line 10-10 of Figure 9.
DETAILED DESCRIPTION OF PREFERRED EMBODIMENTS
25 With reference to the drawings and in particular to Figures 1 to 3, Figure 1 shows the exploded view of a two-end vial constructed in accordance with the present invention, Figure 2 is a perspective view of the two-end vial and Figure 3 is a sectional view taken along line 3-3 of Figure 2.
26 The two-end vial includes a body 1 which is hollow and formed with an upper opening 11 at the top and a lower opening 12 at the bottom.  The body 1 is of annular shape with a cross-sectional diameter greater than that of the upper opening 11 and that of the lower opening 12.  In other words, the upper opening 11 and the lower opening 12 are dimensionally narrower than the body 1.
27 The body 1 is made of transparent material.  Graduations 10 are provided at the outer wall of the body 1 for indicating the volume.  Thereby, a user can read and control the amount of the medical fluid from the graduations 10.
28 A stopper 2 is mounted to the upper opening 11 of the body 1 for sealing the upper opening 11.  Similarly, a stopper 3 is mounted to the lower opening 12 of the body 1 for sealing the lower opening 12.  The stoppers 2, 3 are made of materials with good sealing ability and can be pierced through by a needle, and even when pierced by a needle, the stoppers 2, 3 can provide good sealing to the body 1.  In accordance with requirements, the stoppers 2 and 3 can be selectively made of different materials.  Take for an example.  In the case the vial is used for common medical treatment, the stopper 2 is made of rubber or similar material.
29 Please refer to Figure 4 showing a first embodiment of the present invention, in which the two-end vial is incorporated to a radiopharmaceucticals dispensing and injection system.  As shown, after sealing with the stoppers 2, 3, the body 1 is formed with a closed chamber for accommodation of medical fluid therein.  The medical fluid may comprise a liquid form radiopharmaceuticals 4.  
30 A radiopharmaceuticals supply unit 5 is provided for supplying radiopharmaceuticals 4 to the body 1.  In this embodiment, radiopharmaceuticals supply unit 5 includes an inlet tube 51 which is provided with a needle 52 for inserting to the stopper 2.  Through the inlet tube 51 and the needle 52, radiopharmaceuticals is supplied from a radiopharmaceuticals reservoir 53 to the body 1.
31 Also, an air filter means 6 is mounted to the stopper 2 to maintain the air pressure in the body 1.  When radiopharmaceuticals 4 is withdrawn from the body 1, ambient air flows in and is filtered through the air filter means 6 to the body 1.  Accordingly, the air pressure in the body 1 is maintained.
32 A radiopharmaceuticals withdrawal unit 7 is connected to the stopper 3 at the lower opening 12 of the body 1.  In the embodiment, the radiopharmaceuticals withdrawal unit 7 comprises a syringe 71 which includes a needle 72 at the front end.  The needle 72 is pierced through the stopper 3 to the body 1 for drawing the radiopharmaceuticals 4 contained therein.
33 Please refer to Figure 5, in which a second embodiment of the present invention is shown.  In this embodiment, the radiopharmaceucticals dispensing and injection system incorporating the two-end vial is substantially identical to the radiopharmaceucticals dispensing and injection system discussed with reference to Figure 4, and like reference numerals are used to identify elements that are similar or identical in the two embodiments.  The two-end vial includes a body 1, and an upper stopper 2 at the top and a lower stopper 3 at the bottom of the body 1.  The body 1 is connected with a radiopharmaceuticals supply unit 5.  However, the second embodiment is different from the first embodiment in that the radiopharmaceuticals withdrawal unit 7 comprises an outlet tube 73 and a needle 74.  The needle 74 is arranged at the front end of the outlet tube 73 and inserted to the lower stopper 3 for drawing the radiopharmaceuticals 4 from the body 1.
34 Figure 6 is a schematic view showing a third embodiment of the present invention.  The third embodiment is substantially similar to the first embodiment, and like reference numerals are used to identify elements that are similar or identical in the two embodiments.  The third embodiment is different from the first embodiment in that the upper stopper 2 is not provided with any radiopharmaceuticals supply unit.  Alternatively, the radiopharmaceuticals 4 is filled in advance to the body 1 before mounting the upper stopper 2 to the body 1.  The upper stopper 2 is inserted only with an air filter means 6.  The lower stopper 3 is inserted with a syringe 71 for drawing the radiopharmaceuticals 4 from the body 1.  By means of the air filter means 6, the air pressure in the body 1 is maintained.
35 Please refer to Figure 7 which is a schematic view showing a fourth embodiment of the present invention.  The fourth embodiment is substantially similar to the second embodiment of Figure 5, and like reference numerals are used to identify elements that are similar or identical in the two embodiments.  The fourth embodiment is different from the second embodiment in that the upper stopper 2 is not provided with any radiopharmaceuticals supply unit.  Alternatively, the radiopharmaceuticals 4 is filled in advance to the body 1 before mounting the upper stopper 2 to the body 1.  The upper stopper 2 is inserted only with an air filter means 6.  The lower stopper 3 is inserted with a needle 74 connected with an outlet tube 73 for drawing the radiopharmaceuticals 4 from the body 1.  By means of the air filter means 6, the air pressure in the body 1 is maintained.
36 Figure 8 shows a schematic view showing a fifth embodiment of the present invention.  The fifth embodiment is substantially similar to the second embodiment of Figure 4, and like reference numerals are used to identify elements that are similar or identical in the two embodiments.  The fifth embodiment is different from the second embodiment in that the body 1 in Figure 8 comprises a flat circular bottom 13 with a lower opening 12 of regular annular shape.  Hence, the body 1 has a uniform lower part, facilitating the measurement of the fluid volume.  The user can directly read the amount of the radiopharmaceucticals 4 from the graduations on the body 1.
37 Figure 9 is a schematic view showing a sixth embodiment of the present invention.  The two-end vial of this embodiment is substantially similar to that of Figure 1, and like reference numerals are used to identify elements that are similar or identical in the two embodiments.  Please also refer to Figure 10 which is a sectional view taken along line 10-10 of Figure 9.  The sixth embodiment is different in that the upper opening 11 comprises a lateral flange 14 and the lower opening 12 comprises a lateral flange 15.  The lateral flanges 14, 15 facilitate and secure the fastening or engagement of the body 1 to a holder.
38 Although the present invention has been described with reference to the preferred embodiment thereof, it is apparent to those skilled in the art that a variety of modifications and changes may be made without departing from the scope of the present invention which is intended to be defined by the appended claims.
１． Abstract
A two-end vial includes a body with an upper opening at the top and a lower opening at the bottom.  The upper opening is sealed with an upper stopper and the lower opening is sealed with a lower stopper, forming a closed chamber for containing a liquid radiopharmaceuticals therein.  An air filter means is mounted to the upper stopper.  Also, a radiopharmaceuticals supply unit is connected to the upper stopper for supplying the radiopharmaceuticals to the body.  The radiopharmaceuticals supply unit may include an inlet tube or a syringe.  A radiopharmaceuticals withdrawal unit withdraws the radiopharmaceuticals from the body via the lower stopper.  The radiopharmaceuticals withdrawal unit may include an outlet tube or a syringe for drawing the radiopharmaceuticals.
２．Representative     Drawing
Fig.4
What is claimed is:
1. A two-end vial and a radiopharmaceucticals dispensing and injection system incorporating the two-end vial, comprising:
a body, which is hollow and formed with an upper opening at the top and a lower opening at the bottom of the body;
an upper stopper, which is mounted to the upper opening of the body for sealing the upper opening;
a lower stopper, which is mounted to the lower opening of the body for sealing the lower opening, and by sealing the body with the upper stopper and the lower stopper, a closed chamber is formed for accommodation of radiopharmaceucticals therein; and
a radiopharmaceuticals withdrawal unit, which is connected to the lower stopper for withdrawing the radiopharmaceucticals from the body.
2. The two-end vial and radiopharmaceucticals dispensing and injection system incorporating the two-end vial as claimed in Claim 1, wherein the two-end vial is further connected with a radiopharmaceuticals supply unit which supplies radiopharmaceuticals to the body through the upper stopper.
3. The two-end vial and radiopharmaceucticals dispensing and injection system incorporating the two-end vial as claimed in Claim 2, wherein the radiopharmaceuticals supply unit comprises an inlet tube, in which one end of the inlet tube is provided with a needle for inserting to the upper stopper, and the other end of the inlet tube is connected with a radiopharmaceuticals reservoir.
4. The two-end vial and radiopharmaceuticals dispensing and injection system incorporating the two-end vial as claimed in Claim 1, wherein the radiopharmaceuticals withdrawal unit comprises an outlet tube, in which one end of the outlet tube is inserted to the lower stopper, and the radiopharmaceuticals is conveyed through the other end .
5. The two-end vial and radiopharmaceucticals dispensing and injection system incorporating the two-end vial as claimed in Claim 1, wherein the radiopharmaceuticals withdrawal unit comprises a syringe which includes a needle at the front end for inserting through the lower stopper and drawing the liquid radiopharmaceuticals contained in the body.
6. The two-end vial and radiopharmaceucticals dispensing and injection system incorporating the two-end vial as claimed in Claim 1, wherein the upper stopper is further provided with an air filter means which comprises a needle for inserting to the upper stopper.
7. A two-end vial, comprising:
a body, which is hollow and formed with an upper opening at the top and a lower opening at the bottom of the body;
an upper stopper, which is mounted to the upper opening of the body for sealing the upper opening; and
a lower stopper, which is mounted to the lower opening of the body for sealing the lower opening;
wherein by sealing the body with the upper stopper and the lower stopper, a closed chamber is formed for accommodation of radiopharmaceucticals therein.
8. A two-end vial as claimed in Claim 7, wherein the body has an annular shape configuration, and the diameter of the body is larger than the diameter of the upper opening and the diameter of the lower opening.
9. A two-end vial as claimed in Claim 7, wherein the body is made of transparent material.
10. A two-end vial as claimed in Claim 7, wherein the outer wall of the body is provided with graduations for indicating the volume.
11. A two-end vial as claimed in Claim 7, wherein the upper opening further comprises a lateral flange.  
12. A two-end vial as claimed in Claim 7, wherein the lower opening further comprises a lateral flange.
13. A two-end vial as claimed in Claim 7, wherein at least one of the openings of the body comprises a regular annular shape configuration.
１．Abstract
A two-end vial includes a body with an upper opening at the top and a lower opening at the bottom.  The upper opening is sealed with an upper stopper and the lower opening is sealed with a lower stopper, forming a closed chamber for containing a liquid radiopharmaceuticals therein.  An air filter means is mounted to the upper stopper.  Also, a radiopharmaceuticals supply unit is connected to the upper stopper for supplying the radiopharmaceuticals to the body.  The radiopharmaceuticals supply unit may include an inlet tube or a syringe.  A radiopharmaceuticals withdrawal unit withdraws the radiopharmaceuticals from the body via the lower stopper.  The radiopharmaceuticals withdrawal unit may include an outlet tube or a syringe for drawing the radiopharmaceuticals.
２．Representative     Drawing
Fig.4
１．Abstract
A two-end vial includes a body with an upper opening at the top and a lower opening at the bottom.  The upper opening is sealed with an upper stopper and the lower opening is sealed with a lower stopper, forming a closed chamber for containing a liquid radiopharmaceuticals therein.  An air filter means is mounted to the upper stopper.  Also, a radiopharmaceuticals supply unit is connected to the upper stopper for supplying the radiopharmaceuticals to the body.  The radiopharmaceuticals supply unit may include an inlet tube or a syringe.  A radiopharmaceuticals withdrawal unit withdraws the radiopharmaceuticals from the body via the lower stopper.  The radiopharmaceuticals withdrawal unit may include an outlet tube or a syringe for drawing the radiopharmaceuticals.
２．Representative     Drawing
Fig.4
【Ｆｉｇ１】
2006212267.tif 000013
【Ｆｉｇ２】
2006212267.tif 000014
【Ｆｉｇ３】
2006212267.tif 000015
【Ｆｉｇ４】
2006212267.tif 000016
【Ｆｉｇ５】
2006212267.tif 000017
【Ｆｉｇ６】
2006212267.tif 000018
【Ｆｉｇ７】
2006212267.tif 000019
【Ｆｉｇ８】
2006212267.tif 000020
【Ｆｉｇ９】
2006212267.tif 000021
【Ｆｉｇ１０】
2006212267.tif 000022